(57)【要約】【課題】組成が簡易な消臭剤を提供するとともに、消臭機能を有する機能性潤滑剤を提供する。【解決手段】消臭剤は、アクリル酸系ポリマーからなるものであり、該アクリル酸系ポリマーは、ポリアクリル酸完全中和物の含水ゲル体又はポリアクリル酸部分中和物の含水ゲル体、あるいはポリアクリル酸完全中和物の粉体、あるいは架橋型ポリアクリル酸又は架橋型ポリアクリル酸ナトリウムであり、機能性潤滑剤は該消臭剤を含むものである。【選択図】なし【特許請求の範囲】
【請求項１】
アクリル酸系ポリマーからなることを特徴とする消臭剤。
【請求項２】
前記アクリル酸系ポリマーは、ポリアクリル酸完全中和物の含水ゲル体又はポリアクリル酸部分中和物の含水ゲル体である請求項１に記載の消臭剤。
【請求項３】
前記アクリル酸系ポリマーは、ポリアクリル酸完全中和物の粉体である請求項１に記載の消臭剤。
【請求項４】
前記アクリル酸系ポリマーは、架橋型ポリアクリル酸又は架橋型ポリアクリル酸ナトリウムである請求項１に記載の消臭剤。
【請求項５】
請求項１から請求項４のうち何れか一項に記載の消臭剤を含むことを特徴とする機能性潤滑剤。
【発明の詳細な説明】
【技術分野】
【０００１】
本発明は、消臭剤、該消臭剤を含む機能性潤滑剤に関するものである。
【背景技術】
【０００２】
従来から、悪臭を除去又は緩和するべく、消臭機能を有する成分と、その他の成分とからなる種々の消臭剤や消臭剤組成物が提供・提案されている。
例えば、特許文献１と特許文献２に記載の自動車内装部材の消臭剤は、硫酸亜鉛，塩化亜鉛，酢酸亜鉛，亜鉛系金属錯塩化合物のうちから選ばれる少なくとも１種を消臭成分として用い、安定化剤としてエチレンジアミン四酢酸および／または膠（にかわ）等の天然たんぱく質、更に繊維等の自動車内装部材と消臭剤とを結び付けるためのバインダーを含む。
特許文献３に記載の消臭剤組成物は、消臭剤と、有機溶媒可溶性でありかつ水溶性である高分子とを含有している。
特許文献４に記載の複合型殺菌消臭剤組成物は、（Ａ）銀イオン、（Ｂ）水単独又は水及び水溶性溶剤の混合物、（Ｃ）高分子電解質、（Ｄ）界面活性剤及び／若しくは（Ｅ）固化機能性親水性高分子化合物を含有している。
【先行技術文献】
【特許文献】
【０００３】
【特許文献１】特開平１１−９６７０号公報
【特許文献２】特開平１１−１２８３２６号公報
【特許文献３】特開２００４−３５８０２７号公報
【特許文献４】特開２０１１−１６７２１８号公報
【特許文献５】特開２００３−１４６８７５号公報
【特許文献６】特開２００５−２８９８８４号公報
【特許文献７】特開２００６−３４７９６９号公報
【特許文献８】特開２００７−１８２３９８号公報
【特許文献９】特開２０１６−１１３４３０号公報
【発明の概要】
【発明が解決しようとする課題】
【０００４】
ところが、上記従来の消臭剤や消臭剤組成物は、消臭機能を有する成分のみでは使い勝手が悪いため、該消臭機能を有する成分に応じてその他の成分を添加しているが、該その他の成分の選定と添加量の調整が複雑になる傾向があった。また、消臭機能を有する成分は、悪臭全般に対して効果を発揮するのではなく、特定の悪臭にのみ効果を発揮するものであるから、該消臭機能を有する成分の選定が煩雑であった。更に、近年の消臭剤や消臭剤組成物は、消臭機能のみならず除菌等のような他の機能を付加しようとしており、成分の選定と添加量の調整が更に複雑になっている。すなわち、上記従来の消臭剤や消臭剤組成物は、組成が繁雑化するという問題があった。
一方、例えば特許文献５から特許文献９に示されるように、性交時あるいはマッサージ時に使用するものとして機能性潤滑剤が提供等されている。しかし、該機能性潤滑剤は、その使用目的から消臭機能を付与することが望ましいものであるが、該消臭機能の付与について特に考慮されていないという問題があった。
本発明は、このような従来技術に存在する問題点に着目してなされたものである。その目的とするところは、組成が簡易な消臭剤を提供することにある。また本発明で他の目的とするところは、消臭機能を有する機能性潤滑剤を提供することにある。
【課題を解決するための手段】
【０００５】
上記の目的を達成するために、請求項１に記載の消臭剤の発明は、アクリル酸系ポリマーからなることを要旨とする。
請求項２に記載の発明は、請求項１に記載の消臭剤の発明において、前記アクリル酸系ポリマーは、ポリアクリル酸完全中和物の含水ゲル体又はポリアクリル酸部分中和物の含水ゲル体であることを要旨とする。
請求項３に記載の発明は、請求項１に記載の消臭剤の発明において、前記アクリル酸系ポリマーは、ポリアクリル酸完全中和物の粉体であることを要旨とする。
請求項４に記載の発明は、請求項１に消臭剤の発明において、前記アクリル酸系ポリマーは、架橋型ポリアクリル酸又は架橋型ポリアクリル酸ナトリウムであることを要旨とする。
請求項５に記載の機能性潤滑剤の発明は、請求項１から請求項４のうち何れか一項に記載の消臭剤を含むことを要旨とする。
【発明の効果】
【０００６】
［作用］
本発明の発明者等は、アクリル酸系ポリマーについて種々の実験を行った結果、該アクリル酸系ポリマーが消臭機能を有していることを見出し、本発明を完成させるに至った。すなわち、本発明の消臭剤は、アクリル酸系ポリマーからなるものである。該アクリル酸系ポリマーは、一般的にはゲル化剤、増粘剤等として使用されており、入手が容易であるとともに、使い勝手がよく、消臭剤に係る組成を簡易なものとすることができる（請求項１）。
また、前記アクリル酸系ポリマーとして、ポリアクリル酸完全中和物の含水ゲル体と、ポリアクリル酸部分中和物の含水ゲル体との何れもが使用可能である（請求項２）。
また、前記アクリル酸系ポリマーとして、ポリアクリル酸完全中和物の粉体が使用可能である（請求項３）。
また、前記アクリル酸系ポリマーとして、架橋型ポリアクリル酸と、架橋型ポリアクリル酸ナトリウムとの何れもが使用可能である（請求項４）。
本発明の機能性潤滑剤は、アクリル酸系ポリマーからなる上記消臭剤を含んでおり、消臭機能を有するものとすることができる（請求項５）。
［効果］
本発明によれば、組成が簡易な消臭剤を提供することができ、また消臭機能を有する機能性潤滑剤を提供することができる。
【発明を実施するための形態】
【０００７】
以下、本発明を具体化した一実施形態について説明する。
本発明の消臭剤は、アクリル酸系ポリマーからなるものである。該アクリル酸系ポリマーは、ポリアクリル酸を単位構造とする高分子であって、該ポリアクリル酸の分子中には親水性のカルボキシル基が存在することから、分子中に水分子を取り込むことが可能であり、吸水性を有する。すなわち、該アクリル酸系ポリマーは、悪臭を発する尿や汗などのような水を含む物質を、その悪臭の成分ごと分子内に取り込むことで、消臭機能を発揮すると考えられる。従って、前記消臭剤は、例えば活性炭、光触媒、オゾン、塩素系化合物、亜鉛系金属錯塩化合物や酸化銀などの金属系化合物等といった一般的な消臭成分を添加せずとも、前記アクリル酸系ポリマーのみで特定の悪臭成分から生じた臭気を除去又は緩和することが可能である。
前記アクリル酸系ポリマーは、通常は粉体の形態を成しており、該粉体の形態のまま消臭剤として使用することができる。あるいは前記アクリル酸系ポリマーは、水を吸収させることで、分子内で水素結合、疎水性凝集、イオン結合等の非共有結合による架橋、つまりは物理架橋して網目構造を形成することで、多数の水分子を取り込むことが可能な含水ゲル体の形態となる。そして、前記アクリル酸系ポリマーは、該含水ゲル体の形態にして消臭剤として使用することもできる。前記アクリル酸系ポリマーの使用形態において、前記粉体と前記含水ゲル体とは、消臭対象とする悪臭成分や使い勝手等に応じて適宜使い分けされる。
【０００８】
前記アクリル酸系ポリマーは、カルボン酸であるアクリル酸やメタクリル酸をモノマーとして重合した際、該モノマーに相当する下記一般式（１）及び／又は（２）の構成単位を有するポリマーである。該一般式（１）で表される構成単位は、アクリル酸由来の構成単位であり、該一般式（２）で表される構成単位は、一般式（１）で表される構成単位の塩（アクリル酸塩由来の構成単位）である。
また、前記アクリル酸系ポリマーは、下記一般式（１）又は（２）を質量単位で８０質量％以上含み、好ましくは９０質量％以上、特に好ましくは１００質量％含む。
【０００９】
【化１】
2020199279.tif 000002
【００１０】
【化２】
2020199279.tif 000003
【００１１】
前記アクリル酸系ポリマーは、上記の一般式（１）又は（２）の構成単位を有するのであれば、例えば、アクリル酸又はメタクリル酸のホモポリマーであるポリアクリル酸又はポリメタクリル酸、あるいはそれらの塩の他に、上記の一般式（１）又は（２）以外の構成単位として、アクリル酸と共重合可能な、重合性不飽和結合を有する化合物（以下、「他の単量体」という）由来の構成単位を有していてもよく、特に限定されない。
前記他の単量体として、例えば、炭素数が４以上の不飽和モノカルボン酸又はその塩、不飽和ジカルボン酸又はその無水物若しくはその塩、他に（メタ）アクリル酸アルキルエステル、（メタ）アクリル酸ヒドロキシアルキルエステル等の（メタ）アクリル酸の炭素数１〜１２のエステル等のノニオン系モノマー、イタコン酸、メタリルスルホン酸、マレイン酸、無水マレイン酸又はそれらのアルカリ金属塩等のアニオン系モノマー、イソプレンなどの炭素数１〜８のオレフィンなどが挙げられる。
具体例として、前記不飽和モノカルボン酸としては、前記メタクリル酸の他に、クロトン酸、イソクロトン酸、α−ヒドロキシアクリル酸等が挙げられる。
前記不飽和ジカルボン酸又はその無水物としては、前記アニオン系モノマーとしても挙げた前記マレイン酸、前記無水マレイン酸、前記イタコン酸の他に、メサコン酸、フマル酸、シトラコン酸等が挙げられる。
前記（メタ）アクリル酸アルキルエステルとしては、（メタ）アクリル酸メチル、（メタ）アクリル酸エチル、（メタ）アクリル酸プロピル、（メタ）アクリル酸ブチル等が挙げられる。
前記（メタ）アクリル酸ヒドロキシアルキルエステルとしては、（メタ）アクリル酸２−ヒドロキシエチル、（メタ）アクリル酸２−ヒドロキシプロピル、（メタ）アクリル酸３−ヒドロキシプロピル等が挙げられる。
【００１２】
本発明におけるアクリル酸系ポリマーは、アクリル酸（塩）由来の構成単位によるポリアクリル酸（塩）が好ましい。
即ち、ポリアクリル酸（塩）には、分子内の全てのポリアクリル酸が中和されて上記の一般式（２）の構成単位による完全中和物と、分子内の一部のポリアクリル酸が中和されて、上記の一般式（１）及び（２）の構成単位による部分中和物とがある。前記アクリル酸系ポリマーには、ポリアクリル酸完全中和物と、ポリアクリル酸部分中和物の何れもが使用可能である。前記アクリル酸系ポリマーにおいて、ポリアクリル酸完全中和物と、ポリアクリル酸部分中和物とは、消臭対象とする悪臭成分や使い勝手等に応じて適宜使い分けされる。
更に、前記アクリル酸系ポリマーとして、架橋型ポリアクリル酸（塩）も使用可能であり、消臭対象とする悪臭成分や使い勝手等に応じて適宜使い分けされる。
【００１３】
前記アクリル酸系ポリマーは、重量平均分子量（Ｍｗ）が、好ましくは１，０００〜５，０００，０００、より好ましくは５，０００〜５，０００，０００、さらに好ましくは１０，０００〜５，０００，０００である。重量平均分子量（Ｍｗ）が前記範囲外の場合、後述する機能性潤滑剤において粘度を所望の範囲にすることができなくなるおそれがある。
なお、重量平均分子量は、ゲルパーミエーションクロマトグラフィーで測定することができる。
【００１４】
本発明の機能性潤滑剤は、前記アクリル酸系ポリマーからなる前記消臭剤を含むものである。なお、前記機能性潤滑剤は、性交時やマッサージ時の潤滑を図るため、あるいは腹部エコー検査や心電図検査時等に検査用ゼリーとして使用されるものである。前記機能性潤滑剤は、主として水溶性高分子と水とによって構成されており、所望に応じて保湿剤、香料、清涼剤、着色料等が更に添加されている。
前記水溶性高分子としては、例えばポリアクリル酸塩類、ポリアクリルアミド、ポリエチレンオキサイド等の水溶性合成高分子、セルロースアセテートブチレート、メチルセルロース、エチルセルロース、メトキシセルロース、エトキシセルロース等の水溶性繊維素誘導体、澱粉、変性澱粉、アルギン酸塩類等が例示される。前記水溶性高分子には、例示したもののうち二種以上を混合して使用してもよい。
前記消臭剤の前記アクリル酸系ポリマーで挙げたポリアクリル酸（塩）は、前記機能性潤滑剤の水溶性高分子で挙げたポリアクリル酸塩類に該当する。従って、前記機能性潤滑剤は、前記水溶性合成高分子として前記消臭剤の前記アクリル酸系ポリマーを使用することにより、消臭機能を付与することができる。特に、前記アクリル酸（塩）由来の構成単位によるポリアクリル酸（塩）は、人体に無害であり、刺激性がなく、かつｐＨはポリアクリル酸完全中和物で７〜９、ポリアクリル酸部分中和物で６〜８程度であって腐蝕性もなく、安全である。更にポリアクリル酸完全中和物の含水ゲル体又はポリアクリル酸部分中和物の含水ゲル体は、極めて潤滑性に富み、かつ性交やマッサージによる剪断力によってもその粘性は変化しにくく、優れた潤滑性を維持することができる。
前記ポリアクリル酸塩類としては、前記ポリアクリル酸ナトリウムの他に、ポリアクリル酸カリウム、ポリアクリル酸アンモニウム等があり、これらを前記アクリル酸系ポリマーと混合して前記水溶性高分子として使用してもよい。
【００１５】
通常、前記機能性潤滑剤において、前記水溶性高分子は５重量％前後あるいはそれ以下の濃度となるように水が添加されて、含水ゲル体とされる。該含水ゲル体は、エタノール、エチレングリコール、グリセリン等の水溶性有機溶剤が添加されたものとしてもよい。
また、前記ポリアクリル酸塩類は、その１重量％の濃度で２５℃とした含水ゲル体の粘度が５００ｍＰａ・ｓ以上であることが好ましく、６００ｍＰａ・ｓ以上であることがより好ましく、７００ｍＰａ・ｓ以上であることがさらに好ましい。前記含水ゲル体の粘度が５００ｍＰａ・ｓに満たない場合、前記機能性潤滑剤として所望の粘度を得るためにポリアクリル酸塩類の濃度を高める必要があり、潤滑性の悪化や、配合組成の煩雑化を招くおそれがある。
前記ポリアクリル酸塩類の含水ゲル体の粘度は、ポリアクリル酸塩類の重合度によって支配され、例えばポリアクリル酸ナトリウムの粘度平均分子量を３５０００として、濃度を１重量％とした場合に、２５℃における粘度は約１１０００ｍＰａ・ｓである。前記ポリアクリル酸塩類は、単独でも前記機能性潤滑剤に要求される性能を満たすことが出来るが、必要によっては２種以上のポリアクリル酸塩類を混合したり、あるいはポリアクリル酸塩類と他の水溶性高分子とを混合したりすることで、好適な効果を得ることが出来る。
【００１６】
[実験例]
以下、本発明を更に具体化した消臭に係る実験例について説明するが、本発明はこの実験例に限定されるものではない。
〔試料〕
ＮＯ．０：水（比較用ブランク）。
ＮＯ．１：ポリアクリル酸完全中和物の含水ゲル体（東亞合成社製、アロンビスＧＬＸ、濃度１重量％）。
ＮＯ．２：ポリアクリル酸部分中和物の含水ゲル体（東亞合成社製、アロンビスＡＨ１０６Ｘ、濃度１重量％）。
ＮＯ．３：架橋型ポリアクリル酸ナトリウムの含水ゲル体（三洋化成社製、サンフレッシュＳＴ５７３、濃度１重量％）。
ＮＯ．４：ポリアクリル酸完全中和物の粉体（東亞合成社製、アロンビスＧＬＸ）。
ＮＯ．５：架橋型ポリアクリル酸ナトリウムの粉体（三洋化成社製、サンフレッシュＳＴ５７３）。
ＮＯ．６：架橋型ポリアクリル酸未中和物の含水ゲル体（東亞合成社製、ジュンロンＰＷ−１２０、濃度１重量％）。
ＮＯ．７：ポリアクリル酸未中和物の含水ゲル体（東亞合成社製、ジュリマーＡＣ−１０ＬＨＰ、濃度１重量％）。
ＮＯ．８：架橋型ポリアクリル酸完全中和物の含水ゲル体（東亞合成社製、レオジック２０６Ｈ  ４０７２９、濃度１重量％）。
【００１７】
〔悪臭成分〕
アンモニア：初期濃度１５０ｐｐｍ。
トリメチルアミン：初期濃度２０ｐｐｍ。
硫化水素：、初期濃度２０ｐｐｍ。
メチルメルカプタン：初期濃度５ｐｐｍ。
酢酸：初期濃度５０ｐｐｍ。
イソ吉草酸：初期濃度５０ｐｐｍ。
アセトアルデヒド：初期濃度１００ｐｐｍ。
ノネナール：初期濃度５ｐｐｍ。
【００１８】
〔試験方法〕
上記試料５ｇを試験容器（１Ｌ三角フラスコ）に投入した後、該試験容器内に上記の悪臭成分を上記の初期濃度で封入した。上記悪臭成分の封入下で前記試験容器を３０分間放置した後、試験容器内に残存する悪臭成分の濃度を測定し、消臭率を算出した。また、悪臭成分の濃度の測定は、ガス検知管を用いたガスクロ測定によって直接法で行った。
【００１９】
〔試験結果〕
上記試験方法による試験結果を表１に示す。
【００２０】
【表１】
2020199279.tif 000004
【００２１】
ＮＯ．１からＮＯ．８の試料について、消臭率が８０％以上のものを◎、８０％未満で５０％以上のものを○、５０％未満で０％を超えるものを△、０％のものを×として、消臭効果について評価した。その結果を表２に示す。
【００２２】
【表２】
2020199279.tif 000005
【００２３】
表１及び表２の結果をまとめると、以下の通りであった。
ＮＯ．１のポリアクリル酸完全中和物の含水ゲル体は、悪臭成分であるアンモニア、トリメチルアミン、酢酸、イソ吉草酸に対して優れた消臭効果を示し、またアセトアルデヒドに対して消臭効果を示し、また硫化水素、ノネナールに対してわずかに消臭効果を示した。
ＮＯ．２のポリアクリル酸部分中和物の含水ゲル体は、悪臭成分であるアンモニア、トリメチルアミン、酢酸、イソ吉草酸に対して優れた消臭効果を示し、またアセトアルデヒド、ノネナールに対して消臭効果を示し、また硫化水素に対してわずかに消臭効果を示した。
ＮＯ．３の架橋型ポリアクリル酸ナトリウムの含水ゲル体は、悪臭成分であるアンモニア、トリメチルアミン、酢酸、イソ吉草酸に対して優れた消臭効果を示し、またアセトアルデヒドに対して消臭効果を示し、また硫化水素、ノネナールに対してわずかに消臭効果を示した。
ＮＯ．４のポリアクリル酸完全中和物の粉体は、硫化水素、酢酸、イソ吉草酸に対して優れた消臭効果を示し、またアンモニアに対して消臭効果を示し、またトリメチルアミン、アセトアルデヒド、ノネナールに対してわずかに消臭効果を示した。
ＮＯ．５の架橋型ポリアクリル酸ナトリウムの粉体は、悪臭成分であるアンモニア、トリメチルアミン、酢酸、イソ吉草酸に対して優れた消臭効果を示し、またノネナールに対して消臭効果を示し、また硫化水素、アセトアルデヒドに対してわずかに消臭効果を示した。
ＮＯ．６の架橋型ポリアクリル酸未中和物の含水ゲル体は、悪臭成分であるアンモニア、トリメチルアミン、ノネナールに対して優れた消臭効果を示し、また酢酸、イソ吉草酸に対して消臭効果を示し、またメチルメルカプタン、アセトアルデヒドに対してわずかに消臭効果を示した。
ＮＯ．７のポリアクリル酸未中和物の含水ゲル体は、悪臭成分であるアンモニア、トリメチルアミン、イソ吉草酸に対して優れた消臭効果を示し、またノネナールに対して消臭効果を示し、また硫化水素、酢酸、アセトアルデヒドに対してわずかに消臭効果を示した。
ＮＯ．８の架橋型ポリアクリル酸完全中和物の含水ゲル体は、悪臭成分であるアンモニア、トリメチルアミン、酢酸、イソ吉草酸、ノネナールに対して優れた消臭効果を示し、またアセトアルデヒドに対して消臭効果を示し、また硫化水素に対してわずかに消臭効果を示した。
【００２４】
上記の試験結果から、アクリル酸系ポリマーが消臭機能を有していることが示された。
アクリル酸系ポリマーのうち、ポリアクリル酸完全中和物（ＮＯ．１）、ポリアクリル酸部分中和物（ＮＯ．２）の含水ゲル体は、体臭の主な原因となるアンモニア、トリメチルアミン、酢酸、イソ吉草酸、アセトアルデヒドに対して消臭効果を示しており、該体臭に対する消臭剤として好適であることが示された。また体臭に対する消臭剤として好適であることから、身体に塗布して使用する機能性潤滑剤の材料として特に好適であることが示された。
アクリル酸系ポリマーのうち、ポリアクリル酸完全中和物の粉体（ＮＯ．４）は、特に硫化水素に対して優れた消臭効果を示しており、該硫化水素が主な原因となる生ゴミ臭、糞尿臭、煙草臭等の悪臭に対する消臭剤として好適であることが示された。
アクリル酸系ポリマーのうち架橋型ポリアクリル酸完全中和物（ＮＯ．８）、架橋型ポリアクリル酸ナトリウム（ＮＯ．３）は、体臭の主な原因となるアンモニア、トリメチルアミン、酢酸、イソ吉草酸、アセトアルデヒドに対して消臭効果を示しており、該体臭に対する消臭剤として好適であるとともに、機能性潤滑剤の材料として好適であることが示された。
アクリル酸系ポリマーのうち架橋型ポリアクリル酸は、未中和物（ＮＯ．６）、完全中和物（ＮＯ．８）の含水ゲル体が加齢臭の主な原因となるノネナールに対して消臭効果を示しており、該加齢臭に対する消臭剤として好適であることが示された。
【産業上の利用可能性】
【００２５】
本発明によれば、組成が簡易な消臭剤を提供することができるとともに、消臭機能を有する機能性潤滑剤を提供することができるから、産業上利用可能である。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
アクリル酸系ポリマーからなり、
前記アクリル酸系ポリマーは、水溶性高分子である架橋型ポリアクリル酸（塩）の含水ゲル体であることを特徴とする消臭剤。
【請求項２】
前記架橋型ポリアクリル酸（塩）は、架橋型ポリアクリル酸完全中和物である請求項１に記載の消臭剤。
【請求項３】
請求項１又は請求項２に記載の消臭剤を用いたことを特徴とする機能性潤滑剤。